Podtech/llm-jp-corpus-v4-ja_patent huggingface dataset:
【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
内側ダイ外周面と外側ダイ内周面とから構成される環状流路を有する導電性弾性体押出成形用クロスヘッド被覆ダイにおいて、
該内側ダイ外周面に押出方向を中心軸とするつる巻線状溝を有し、かつ、該外側ダイ内周面に押出方向を中心軸とするつる巻線状溝を有することを特徴とする導電性弾性体押出成形用クロスヘッド被覆ダイ。
【請求項２】
前記環状流路の少なくとも一部において、内側ダイ外周面に設けられたつる巻線状溝と外側ダイ内周面に設けられたつる巻線状溝のつる巻線状巻き方向が同じ向きであることを特徴とする請求項１に記載の導電性弾性体押出成形用クロスヘッド被覆ダイ。
【請求項３】
支持軸と、該支持軸を被覆している導電性弾性体とを有する導電性弾性体ローラの製造装置であって、
導電性弾性体組成物を押し出す押出機と、クロスヘッド被覆ダイとを有し、
該クロスヘッド被覆ダイは、
内側ダイおよび外側ダイを有しており、
該内側ダイの外周面と該外側ダイの内周面とで構成されている、該押出機から押し出される該導電性弾性体組成物を円筒状に形成する環状流路を有しており、
該内側ダイは、該環状流路の中心軸と同じ向きに該支持軸が装着される貫通孔を有しており、
該環状流路は、その出口が該貫通孔に面しており、さらに
該内側ダイの外周面および該外側ダイの内周面には、該導電性弾性体組成物の押出方向を中心軸とする、つる巻線状溝が形成されていることを特徴とする製造装置。
【請求項４】
請求項３に記載の製造装置を用いた、支持軸と該支持軸を被覆している導電性弾性体とを有する導電性弾性体ローラの製造方法であって、
前記クロスヘッド被覆ダイの貫通孔に支持軸を装着する工程と、
前記押出機から前記クロスヘッド被覆ダイに、ゴムを含む導電性弾性体組成物を供給し、該貫通孔に装着された該支持軸を、前記環状流路によって円筒状に形成された該導電性弾性体組成物で被覆する工程と、を有することを特徴とする導電性弾性体ローラの製造方法。
【手続補正２】
【補正対象書類名】明細書
【補正対象項目名】発明の名称
【補正方法】変更
【補正の内容】
【発明の名称】クロスヘッド被覆ダイ、ならびに導電性弾性体ローラの製造装置および製造方法
【手続補正３】
【補正対象書類名】明細書
【補正対象項目名】００１６
【補正方法】変更
【補正の内容】
【００１６】
本発明により、支持軸と、該支持軸を被覆している導電性弾性体とを有する導電性弾性体ローラの製造装置であって、
導電性弾性体組成物を押し出す押出機と、クロスヘッド被覆ダイとを有し、
該クロスヘッド被覆ダイは、
内側ダイおよび外側ダイを有しており、
該内側ダイの外周面と該外側ダイの内周面とで構成されている、該押出機から押し出される該導電性弾性体組成物を円筒状に形成する環状流路を有しており、
該内側ダイは、該環状流路の中心軸と同じ向きに該支持軸が装着される貫通孔を有しており、
該環状流路は、その出口が該貫通孔に面しており、さらに
該内側ダイの外周面および該外側ダイの内周面には、該導電性弾性体組成物の押出方向を中心軸とする、つる巻線状溝が形成されていることを特徴とする製造装置が提供される。
【手続補正４】
【補正対象書類名】明細書
【補正対象項目名】００１７
【補正方法】変更
【補正の内容】
【００１７】
本発明により、上記の製造装置を用いた、支持軸と該支持軸を被覆している導電性弾性体とを有する導電性弾性体ローラの製造方法であって、
前記クロスヘッド被覆ダイの貫通孔に支持軸を装着する工程と、
前記押出機から前記クロスヘッド被覆ダイに、ゴムを含む導電性弾性体組成物を供給し、該貫通孔に装着された該支持軸を、前記環状流路によって円筒状に形成された該導電性弾性体組成物で被覆する工程と、を有することを特徴とする導電性弾性体ローラの製造方法が提供される。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
先端工具を駆動するモータ部および動力伝達部を収容する胴体ハウジング部と、
前記胴体ハウジング部に連結され、前記胴体ハウジング部の延在方向に対し垂直方向または該垂直方向から傾斜する方向に延びるハンドルハウジング部と、
前記ハンドルハウジング部の先端部に設けられた電池パック受納部であって、互いに同一形状の外形を有し複数の電池セルが収容されている第一の電池パック及び第二の電池パックを装着し、かつ前記モータ部に駆動電源として電気的接続する電池パック受納部とを具備する携帯用電動工具において、
前記電池パック受納部は電池パックを収容する電池収容室を形成するキャビネットを有し、前記キャビネットの側面には前記第一の電池パック及び第二の電池パックを挿入するための挿入口が開設され、
前記挿入口より前記第一の電池パック及び第二の電池パックを前記キャビネットの内面に沿って摺動させながら挿入する構成としたことを特徴とする携帯用電動工具。
【請求項２】
前記キャビネットの側面には複数の電池パックを挿入するための複数の前記挿入口を有し、前記キャビネットの内面には前記複数の挿入口に対応して挿入される前記電池パックを電気的に互いに並列接続するための接続端子を有することを特徴とする請求項１に記載された携帯用電動工具。
【請求項３】
前記キャビネットの内面には、前記電池収容室を複数の収容室および複数の前記挿入口に間仕切りする隔壁部を配設したことを特徴とする請求項１または請求項２に記載された携帯用電動工具。
【請求項４】
前記電池パックの外周面の少なくとも一部には、前記挿入口から前記キャビネットの前記電池収容室内へ挿入する前記電池パックの挿入方向に延在する凸部または凹部を形成し、前記キャビネットの内面には、前記電池パックの前記凸部または凹部に摺動可能に形成された凹部または凸部を設けたことを特徴とする請求項１乃至請求項３のいずれか一つに記載された携帯用電動工具。
【請求項５】
前記第一の電池パック及び第二の電池パックは、前記キャビネットに装着された場合、前記キャビネットの側面に係合可能な抜け止め片をそれぞれ具備していることを特徴とする請求項１乃至請求項４のいずれか一つに記載された携帯用電動工具。
【請求項６】
前記抜け止め片は、ラッチ部により操作可能であり、ラッチ部を押圧することにより、前記第一の電池パック及び第二の電池パックはそれぞれ前記キャビネットから取外されることを特徴とする請求項５記載の携帯用電動工具。
【請求項７】
前記キャビネットは、前記ハンドルハウジング部の延在方向に重ねられ、前記隔壁部によって間仕切りされた複数段の前記電池収容室および複数段の前記挿入口を有し、各前記挿入口に挿入される前記電池パックは前記胴体ハウジング部の延在方向に摺動可能に挿入されることを特徴とする請求項１乃至請求項６のいずれか一つに記載された携帯用電動工具。
【請求項８】
モータ部及び動力伝達部を収容するハウジング部と、
前記モータ部に、駆動電源として電気的に接続可能な第一の電池パック及び第二の電池パックと、
前記ハウジング部に設けられ、前記第一の電池パック及び第二の電池パックを装着可能な電池パック受納部と、
前記電池パック受納部に設けられた係合片と、
前記凹部に係合可能に前記第一の電池パック及び第二の電池パックに設けられる係合片受け部と、を有し、
前記第一の電池パック及び第二の電池パックは互いに同一の形状であり、
前記第一の電池パック及び第二の電池パックは、前記電池パック受納部に挿入する挿入部と、前記電池パック受納部から露出する蓋体部とから構成されていることを特徴とする電動工具。
【手続補正書】
【提出日】平成21年6月2日(2009.6.2)
【手続補正１】
【補正対象書類名】明細書
【補正対象項目名】００２２
【補正方法】変更
【補正の内容】
【００２２】
研磨液Ａを用いて研磨を行うには、図１に示すように、研磨対象物Ｗと定盤Ｄを対向配置する。研磨対象物Ｗは、比較的高硬度の基板などであり、たとえばサファイア、ＳｉＣなどからなる。定盤Ｄは、研磨対象物Ｗに対して相対回転自在とされている。また、実施しようとする研磨の種類に応じて、定盤Ｄの表面に研磨布（図示略）を設けてもよい。
【手続補正２】
【補正対象書類名】明細書
【補正対象項目名】００２７
【補正方法】変更
【補正の内容】
【００２７】
この滴下を継続することにより、分散媒１をｐＨ８以上の状態からｐＨ５の状態まで移行させる。この工程においては、図２に示すように、ＳｉＯ2のゲル化時間が短く、懸濁粒子３が凝集しゲル化しやすい状態にある。しかしながら、分散媒１のｐＨ変化に応じて適正量の研磨粒子２を混入させることにより、凝集しようとする懸濁粒子３を研磨粒子２に適切に凝集させることが可能である。したがって、懸濁粒子３どうしが不当に凝集してしまうことを防止することができる。
【手続補正３】
【補正対象書類名】明細書
【補正対象項目名】００３１
【補正方法】変更
【補正の内容】
【００３１】
図３に示すように、ダイヤモンド粒子のみの場合、テスト開始直後から上記シリンジ底部に上記ダイヤモンド粒子が顕著に堆積している。これは、上述した定盤や研磨布に固定されてしまうことを意味する。ＳｉＯ2粒子のみの場合は、ほとんど沈降しないことが分かる。これらに対し、ダイヤモンド粒子とＳｉＯ2粒子とを混合した場合、テスト開始直後には、ほとんど沈降が起こらず、約７２時間経過後においても、ダイヤモンド粒子のみの場合の沈降量の約１／５程度である。工業上の使用を考慮した場合、研磨装置による研磨作業は、たとえば８時間ごとに作業者の入れ替わりがあり、このタイミングで研磨液の入れ替えが行われる。テスト結果によれば、テスト開始後８時間程度では、ダイヤモンド粒子とＳｉＯ2粒子とを混合した場合、ほとんど沈降は起こっておらず、十分に浮遊している状態であるといえる。これは、ダイヤモンド粒子にＳｉＯ2粒子が凝集することによりいわゆる懸濁状態が実現されていることによる。
【手続補正４】
【補正対象書類名】明細書
【補正対象項目名】００３５
【補正方法】変更
【補正の内容】
【００３５】
懸濁粒子としては、ＳｉＯ2からなるものの他に、Ａｌ2Ｏ3からなるものを用いてもよい。この場合、いわゆるコロイダルＡｌ2Ｏ3を用いれば、比較的小サイズであり、かつ粒径のバラツキがすくない懸濁粒子とすることができる。
【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
医療用具に摺動性を付与するための医療用具コーティング用摺動性組成物であって、該コーティング用摺動性組成物は、溶液型シリコーンゴムを主構成成分とし、かつ、カーボンナノチューブおよびシリコーン樹脂微粒子を含有していることを特徴とする医療用具コーティング用摺動性組成物。
【請求項２】
前記溶液型シリコーンゴムは、ポリシロキサンを基本構造に持つシリコーン樹脂であり、前記医療用具コーティング用摺動性組成物中における前記ポリシロキサンを基本構造に持つシリコーン樹脂の含有量は、１０〜７０重量％である請求項１に記載の医療用具コーティング用摺動性組成物。
【請求項３】
前記カーボンナノチューブは、平均直径が８００ｎｍ未満であり、平均繊維長が、２μｍ未満であり、かつ、前記コーティング用摺動性組成物に０．０１〜２重量部含有されている請求項１または２に記載の医療用具コーティング用摺動性組成物。
【請求項４】
前記シリコーン樹脂微粒子は、平均粒径０．５〜３０μｍであり、かつ、前記コーティング用摺動性組成物に０．２〜５０重量％含有されている請求項１ないし３のいずれかに記載の医療用具コーティング用摺動性組成物。
【請求項５】
前記コーティング用摺動性組成物は、界面活性剤を含有している請求項１ないし４のいずれかに記載の医療用具コーティング用摺動性組成物。
【請求項６】
前記コーティング用摺動性組成物は、ポリオレフィン系樹脂粉末または／およびマイカ粉末を含有している請求項１ないし５のいずれかに記載の医療用具コーティング用摺動性組成物。
【請求項７】
前記コーティング用摺動性組成物は、シランカップリング剤を含有している請求項１ないし６のいずれかに記載の医療用具コーティング用摺動性組成物。
【請求項８】
医療用部材内面もしくは体腔内面に接触して移動する医療用具であって、該医療用具は、前記医療用部材もしくは体腔と接触する部分に設けられた摺動性被膜を備え、該摺動性被膜は、シリコーンゴムにより構成されているとともに、カーボンナノチューブおよびシリコーン樹脂微粒子を含有していることを特徴とする摺動性被膜保有医療用具。
【請求項９】
前記シリコーンゴムは、ポリシロキサンを基本構造に持つシリコーンゴムである請求項８に記載の摺動性被膜保有医療用具。
【請求項１０】
前記カーボンナノチューブは、直径が８００ｎｍ未満であり、平均繊維長が、２μｍ未満であり、かつ、前記摺動性被膜に０．０１〜３重量％含有されている請求項８または９に記載の摺動性被膜保有医療用具。
【請求項１１】
前記シリコーン樹脂微粒子は、平均粒径１〜３０μｍであり、かつ、前記摺動性被膜に３〜６０重量％含有されている請求項８ないし１０のいずれかに記載の摺動性被膜保有医療用具。
【請求項１２】
前記摺動性被膜は、ポリオレフィン系樹脂粉末または／およびマイカ粉末を含有している請求項８ないし１１のいずれかに記載の摺動性被膜保有医療用具。
【請求項１３】
前記摺動性被膜は、前記シリコーン樹脂微粒子および／または前記カーボンナノチューブに起因する粗面表面となっている請求項８ないし１２のいずれかに記載の摺動性被膜保有医療用具。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を前面側から視認可能とする透明板が設けられた開口窓と、
前記遊技領域内から所定の演出画像を認識可能な表示領域が前面に形成された演出表示装置と、
所定の判定条件が成立したことにもとづいて遊技者に所定の利益を付与するか否か判定する当落判定手段と、
前記当落判定手段により遊技者に利益を付与すると判定したときに遊技者に利益を付与する利益付与状態に制御する利益付与状態制御手段と、を備え、
前記利益付与状態制御手段により前記利益付与状態に制御するときに前記演出表示装置にて特定の演出結果を表示する遊技機において、
前記遊技領域の後面側に設けられ、多色発光可能に構成された発光部材と、
前記発光部材を所定の発光色で発光動作させる発光部材駆動手段と、
前記遊技領域のうち少なくとも遊技球が流下する球流下領域を含む略全域に亘って光透過性であり且つ前記発光部材の形状が視認不能となる装飾部を、前記発光部材の前面側に有する装飾部材と、をさらに備え、
前記発光部材駆動手段は、所定の変更条件が成立したときに、前記球流下領域を含む略全域を光装飾するべく前記装飾部に対して照射される前記発光部材の発光色を切替えて発光動作させることを特徴とする遊技機。
【請求項２】
前記所定の変更条件は、遊技の進行に伴う遊技状況または／および所定時間の経過に関連して成立することを特徴とする請求項１記載の遊技機。
【請求項３】
前記発光部材駆動手段は、前記演出表示装置にて表示される演出画像に関連付けられた発光色で前記発光部材を発光動作させることを特徴とする請求項１または請求項２記載の遊技機。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
遊技島に設置される外枠と、
該外枠に開閉自在に軸支され且つ遊技演出を行う遊技部を収容する本体枠と、
該本体枠に開閉自在に軸支され且つ前記遊技部を視認可能な開口窓と遊技の結果によって払出される遊技球を貯留する貯留皿が前記開口窓の下方に設けられた前面枠と、
前記遊技部に設けられた複数種類の入賞口および演出表示装置と、
該複数種類の入賞口のうち予め定められた始動口に遊技球が入賞したことにもとづいて遊技者に所定の利益を付与するか否か判定する当落判定手段と、
前記当落判定手段により遊技者に利益を付与すると判定したときに遊技者に利益を付与する利益付与状態に制御する利益付与状態制御手段と、を備え、
前記利益付与状態制御手段により前記利益付与状態に制御するときに前記演出表示装置にて特定の演出結果を表示する遊技機において、
前記遊技部は、
前記演出表示装置の前面に形成され且つ所定の演出画像を表示する表示域部と、
前記表示域部の周囲の略全域に亘って装飾が施された光透過性の装飾域部と、から構成され、
前記装飾域部の後方には、前記装飾域部の略全域を光装飾する発光部材が設けられることを特徴とする遊技機。
【請求項２】
背部を視認可能な平面板状の遊技板と、
該遊技板の後面側から取り付けられる基本ユニットと、をさらに備え、
前記基本ユニットの前面側には、前記装飾域部を有する装飾部材および前記発光部材が取り付けられることを特徴とする請求項１記載の遊技機。
【請求項３】
前記装飾部材は、各々に装飾が施され、且つ、前記遊技板からの距離が各々異なる複数種類の装飾体から構成されることを特徴とする請求項２記載の遊技機。
【手続補正２】
【補正対象書類名】明細書
【補正対象項目名】００２０
【補正方法】変更
【補正の内容】
【００２０】
（解決手段４）
背部を視認可能な平面板状の遊技板と、該前記遊技板の後面側から取り付けられる基本ユニットと、をさらに備え、前記基本ユニットの前面側には、前記装飾域部を有する装飾部材および前記発光部材が取り付けられることを特徴とする解決手段１乃至解決手段３のいずれかに記載の遊技機。
【手続補正３】
【補正対象書類名】明細書
【補正対象項目名】００２１
【補正方法】変更
【補正の内容】
【００２１】
ここで、「遊技板」とは、遊技領域１２の一部または全部を構成する「透明樹脂板４ｂ」であり、透明な合成樹脂（例えば、アクリル樹脂材、ポリカーボネート樹脂材、ポリアリレート樹脂材）、ガラスなどによって形成された平板状の部材である。また、「基本ユニット」とは、「箱体５５」であり、平板状の部材によって構成されるものであってもよいし、ボックス状の部材によって構成されるものでもよいし、外周部分が隆起した部材よって構成されるものでもよい。なお、基本ユニットを平板状の部材によって構成した場合には、外周縁に沿って装飾体を設けることにより基本ユニットの後面側に設けられる基板等を隠蔽することができ、ボックス状の部材によって構成した場合および外周部分が隆起した部材によって構成した場合には、基本ユニットの後面側に設けられる基板等を隠蔽することができるため、装飾効果が向上する。
【手続補正４】
【補正対象書類名】明細書
【補正対象項目名】００２６
【補正方法】変更
【補正の内容】
【００２６】
（解決手段６）
前記装飾部材は、各々に装飾が施され、且つ、前記遊技板からの距離が各々異なる複数種類の装飾体から構成されることを特徴とする解決手段４または解決手段５記載の遊技機。
【手続補正５】
【補正対象書類名】明細書
【補正対象項目名】００２８
【補正方法】変更
【補正の内容】
【００２８】
解決手段６記載の遊技機によれば、装飾部材が各々に装飾が施された複数種類の装飾体から構成されることで、発色や趣旨の異なる部材（装飾体）を個別に作製することができ、装飾部材を容易に作製することができる。また、複数種類の装飾体が遊技板からの距離が各々異なる装飾体から構成されることで、各々の装飾体に対して遊技者の視点からの距離が不均一となり、奥行き感をさらに強調することができる。
【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域を前面側から視認可能とする透明板が設けられた開口窓と、
前記遊技領域内から所定の演出画像を認識可能な表示領域が前面に形成された演出表示装置と、
所定の判定条件が成立したことにもとづいて遊技者に所定の利益を付与するか否か判定する当落判定手段と、
前記当落判定手段により遊技者に利益を付与すると判定したときに遊技者に利益を付与する利益付与状態に制御する利益付与状態制御手段と、を備え、
前記利益付与状態制御手段により前記利益付与状態に制御するときに前記演出表示装置にて特定の演出結果を表示する遊技機において、
前記遊技領域のうち少なくとも遊技球が流下する球流下領域を含む略全域に亘って造形が施された造形部を有する造形部材と、
前記造形部の後面側に設けられ、前記造形部に対して光を照射する発光部材と、をさらに備え、
前記造形部の一部または全部には、立体的な造形が施され、
前記造形部材の少なくとも前記造形部は、光透過性を有し、前記発光部材から照射された光を受けて前記球流下領域を含む略全域を光装飾することを特徴とする遊技機。
【請求項２】
前記遊技領域は、背部を視認可能な平面板状の遊技板の表面に形成され、
前記遊技板は、前記造形部の前面側に設けられ、前記開口窓の前記透明板との間にて前記球流下領域を規定することを特徴とする請求項１記載の遊技機。
【請求項３】
前記遊技板の後面側から取り付けられる基本ユニットをさらに備え、
前記基本ユニットの前面側には、前記発光部材および前記造形部材が取り付けられることを特徴とする請求項２記載の遊技機。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
枠本体に装着される遊技盤を備え、フランジ状の固定部を有する裏構成部材が前記遊技盤の後面側に取付固定される遊技機であって、
前記遊技盤は、
遊技者の操作によって遊技媒体が打ち込まれる遊技領域の少なくとも一部を含む大きさとされた合成樹脂からなる板状の遊技パネルと、
前記遊技パネルの外周を略覆うと共に、該遊技パネルを前面側から着脱可能に嵌合する嵌合段部、
前記嵌合段部の内側に形成され前後方向に貫通する貫通口、及び
前記貫通口の外周側且つ後面側に形成され前記裏構成部材の前記固定部を取り付け可能な取付支持壁
を有する熱可塑性合成樹脂からなる枠状のパネルホルダと、
前記パネルホルダ及び前記遊技パネルの前面側に配置され、前記遊技領域を区画形成すると共に該遊技領域内に遊技者の操作によって打ち込まれた遊技媒体を案内する案内レールを有し、前記パネルホルダと協働して前記遊技パネルを挟持する前構成部材と
を構成部材として含み、
前記パネルホルダの前記取付支持壁は、前記裏構成部材の前記固定部が取り付けられたときに該固定部が当該パネルホルダの外周部よりも後側に位置しないように当該パネルホルダの外周部よりも前方側に形成されている
ことを特徴とする遊技機。
【請求項２】
前記裏構成部材の前記固定部が前記取付支持壁に取り付けられたときに、該固定部と前記パネルホルダの外周部とが略同一面となる
請求項１に記載の遊技機。
【請求項３】
前記パネルホルダの前記貫通口の外周側且つ少なくとも後面側には、前記裏構成部材の前記固定部が取付固定される取付孔が配置されている
請求項１または２に記載の遊技機。
【手続補正２】
【補正対象書類名】明細書
【補正対象項目名】０００９
【補正方法】変更
【補正の内容】
【０００９】
請求項１に記載の遊技機は、枠本体に装着される遊技盤を備え、フランジ状の固定部を有する裏構成部材が前記遊技盤の後面側に取付固定される遊技機であって、前記遊技盤は、遊技者の操作によって遊技媒体が打ち込まれる遊技領域の少なくとも一部を含む大きさとされた合成樹脂からなる板状の遊技パネルと、前記遊技パネルの外周を略覆うと共に、該遊技パネルを前面側から着脱可能に嵌合する嵌合段部、前記嵌合段部の内側に形成され前後方向に貫通する貫通口、及び前記貫通口の外周側且つ後面側に形成され前記裏構成部材の前記固定部を取り付け可能な取付支持壁を有する熱可塑性合成樹脂からなる枠状のパネルホルダと、前記パネルホルダ及び前記遊技パネルの前面側に配置され、前記遊技領域を区画形成すると共に該遊技領域内に遊技者の操作によって打ち込まれた遊技媒体を案内する案内レールを有し、前記パネルホルダと協働して前記遊技パネルを挟持する前構成部材とを構成部材として含み、前記パネルホルダの前記取付支持壁は、前記裏構成部材の前記固定部が取り付けられたときに該固定部が当該パネルホルダの外周部よりも後側に位置しないように当該パネルホルダの外周部よりも前方側に形成されていることを特徴とする。
請求項２に記載の遊技機は、請求項１に記載の遊技機において、前記裏構成部材の前記固定部が前記取付支持壁に取り付けられたときに、該固定部と前記パネルホルダの外周部とが略同一面となるものである。
請求項３に記載の遊技機は、請求項１または２に記載の遊技機において、前記パネルホルダの前記貫通口の外周側且つ少なくとも後面側には、前記裏構成部材の前記固定部が取付固定される取付孔が配置されているものである。
【手続補正３】
【補正対象書類名】明細書
【補正対象項目名】００１０
【補正方法】変更
【補正の内容】
【００１０】
手段１：遊技機において、
「遊技者の操作によって遊技媒体が打ち込まれる遊技領域の少なくとも一部に対応する大きさとされた合成樹脂からなる板状の遊技パネルと、
該遊技パネルの外周を略覆うと共に該遊技パネルが着脱可能に嵌合する嵌合段部、該嵌合段部の内側に配置され前後方向に貫通する貫通口、該貫通口の外周側且つ後面側に配置され前側に窪んだ形態の取付支持部、及び少なくとも該取付支持部に所定配列で配置され所定のビスを螺合可能な複数の取付孔を備えた熱可塑性合成樹脂からなる枠状のパネルホルダと、
該パネルホルダ及び前記遊技パネルの前面側に配置され、前記遊技領域を区画形成すると共に該遊技領域内に遊技媒体を案内する案内レールを備えた前構成部材と
を有した遊技盤を具備する」ものであることを特徴とする。
【手続補正４】
【補正対象書類名】明細書
【補正対象項目名】００１１
【補正方法】変更
【補正の内容】
【００１１】
ここで、「合成樹脂」としては、「アクリル樹脂」、「ポリカーボネート樹脂」、「ＡＢＳ樹脂」、「ポリプロピレン」、「ポリアリレート樹脂」、「メタクリル樹脂」、等が挙げられる。また、上記の合成樹脂は、「熱可塑性合成樹脂」とすることが望ましいが、「熱硬化性合成樹脂」であっても良い。更に、上記の合成樹脂は、「透明」なものであっても良いし、「不透明」なものであっても良い。
また、「遊技パネル」としては、「遊技領域の一部に対応する大きさとされたもの」、「遊技領域の全体に対応する大きさとされたもの」、等が挙げられる。なお、遊技パネルには、複数の障害釘を植設する他に、入賞口や枠状の役物等を支持する前後方向に貫通する開口部を形成するようにしても良い。また、遊技パネルを、透明な部材で形成しても良いし、不透明な部材で形成しても良く、透明な部材で遊技パネルを形成することで、遊技パネルの後方を前方から視認することができ、遊技盤の後方に配置された演出表示手段（演出表示装置）や各種役物（装飾部材を含む）を視認させることができ、奥行き表現の優れた遊技盤とすることができる。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
枠本体に装着される遊技盤を備え、裏構成部材が前記遊技盤の後面側に取付固定される遊技機であって、
前記遊技盤は、
遊技者の操作によって遊技媒体が打ち込まれる遊技領域の少なくとも一部を含む大きさとされた多角形の板状のものであり、前面に所定の配列で複数の障害釘が植設され、少なくとも略対向する二辺に配置される係合部を有する合成樹脂からなる遊技パネルと、
前記遊技パネルの外周を略覆うと共に、該遊技パネルを前面側から着脱可能に嵌合し前面が前記遊技パネルと略同一となるような深さの嵌合段部、
前記嵌合段部の内側に形成され前後方向に貫通する貫通口、
前記貫通口の外周側且つ後面側に所定配列で配置され前記裏構成部材を取り付けうる所定のビスを螺合可能な複数の取付孔、及び
前面から突出しないように形成され前記遊技パネルの前記係合部と着脱自在に係合する被係合部
を有する熱可塑性合成樹脂からなる枠状のパネルホルダと、
前記パネルホルダ及び前記遊技パネルの前面側に配置され、前記遊技領域を区画形成すると共に該遊技領域内に遊技者の操作によって打ち込まれた遊技媒体を案内する案内レールを有し、前記パネルホルダと協働して前記遊技パネルを挟持する前構成部材と
を構成部材として含む
ことを特徴とする遊技機。
【請求項２】
前記遊技パネルの前記係合部は、前面側が窪んだ段状の係合段部とされ、且つ
前記パネルホルダの前記被係合部は、略対向配置された一方の側が前記嵌合段部の前面との間に所定の隙間を形成した状態で前面に略沿った中心側に向かって延び前記係合段部と係合する係合突部と、該係合突部と略対向配置された他方の側が前記嵌合段部から前方に向かって大きくても前面まで突出し前記係合段部と係合する係合爪部とされている
請求項１に記載の遊技機。
【請求項３】
前記パネルホルダの後面側に配置されている前記複数の取付孔は、
前記パネルホルダの前記貫通口よりも外側の略全周に亘って配置される複数の第一取付孔と、
前記第一取付孔に螺合されるビスよりも大径のビスが螺合可能とされ、前記パネルホルダの上下方向の中央よりも上側に配置される複数の第二取付孔と
を有する請求項１または２に記載の遊技機。
【手続補正２】
【補正対象書類名】明細書
【補正対象項目名】０００９
【補正方法】変更
【補正の内容】
【０００９】
請求項１に記載の遊技機は、枠本体に装着される遊技盤を備え、フランジ状の固定部を有する裏構成部材が前記遊技盤の後面側に取付固定される遊技機であって、前記遊技盤は、遊技者の操作によって遊技媒体が打ち込まれる遊技領域の少なくとも一部を含む大きさとされた多角形の板状のものであり、前面に所定の配列で複数の障害釘が植設され、少なくとも略対向する二辺に配置される係合部を有する合成樹脂からなる遊技パネルと、前記遊技パネルの外周を略覆うと共に、該遊技パネルを前面側から着脱可能に嵌合し前面が前記遊技パネルと略同一となるような深さの嵌合段部、前記嵌合段部の内側に形成され前後方向に貫通する貫通口、前記貫通口の外周側且つ後面側に所定配列で配置され前記裏構成部材を取り付けうる所定のビスを螺合可能な複数の取付孔、及び前面から突出しないように形成され前記遊技パネルの前記係合部と着脱自在に係合する被係合部を有する熱可塑性合成樹脂からなる枠状のパネルホルダと、前記パネルホルダ及び前記遊技パネルの前面側に配置され、前記遊技領域を区画形成すると共に該遊技領域内に遊技者の操作によって打ち込まれた遊技媒体を案内する案内レールを有し、前記パネルホルダと協働して前記遊技パネルを挟持する前構成部材とを構成部材として含むことを特徴とする。
請求項２に記載の遊技機は、請求項１に記載の遊技機において、前記遊技パネルの前記係合部は、前面側が窪んだ段状の係合段部とされ、且つ前記パネルホルダの前記被係合部は、略対向配置された一方の側が前記嵌合段部の前面との間に所定の隙間を形成した状態で前面に略沿った中心側に向かって延び前記係合段部と係合する係合突部と、該係合突部と略対向配置された他方の側が前記嵌合段部から前方に向かって大きくても前面まで突出し前記係合段部と係合する係合爪部とされているものである。
請求項３に記載の遊技機は、請求項１または２に記載の遊技機において、前記パネルホルダの後面側に配置されている前記複数の取付孔は、前記パネルホルダの前記貫通口よりも外側の略全周に亘って配置される複数の第一取付孔と、前記第一取付孔に螺合されるビスよりも大径のビスが螺合可能とされ、前記パネルホルダの上下方向の中央よりも上側に配置される複数の第二取付孔とを有するものである。
【手続補正３】
【補正対象書類名】明細書
【補正対象項目名】００１０
【補正方法】変更
【補正の内容】
【００１０】
手段１：遊技機において、
「遊技者の操作によって遊技媒体が打ち込まれる遊技領域の少なくとも一部に対応し前面側に所定の配列で複数の障害釘が植設され、少なくとも略対向する二辺に配置される係合部を備えた合成樹脂からなる板状の遊技パネルと、
該遊技パネルの外周を略覆うと共に該遊技パネルが着脱可能に嵌合し前面が前記遊技パネルの前面と略同一面となるような深さの嵌合段部、該嵌合段部の内側に配置され前後方向に貫通する貫通口、該貫通口の外周側且つ少なくとも後面側に所定配列で配置され所定のビスを螺合可能な複数の取付孔、及び前面から突出しないように形成され前記遊技パネルの前記係合部と着脱自在に係合する被係合部を備えた熱可塑性合成樹脂からなる枠状のパネルホルダと、
該パネルホルダ及び前記遊技パネルの前面側に配置され、前記遊技領域を区画形成すると共に該遊技領域内に遊技媒体を案内する案内レールを備えた前構成部材と
を有した遊技盤を具備する」ものであることを特徴とする。
【手続補正４】
【補正対象書類名】明細書
【補正対象項目名】００１１
【補正方法】変更
【補正の内容】
【００１１】
ここで、「合成樹脂」としては、「アクリル樹脂」、「ポリカーボネート樹脂」、「ＡＢＳ樹脂」、「ポリプロピレン」、「ポリアリレート樹脂」、「メタクリル樹脂」、等が挙げられる。また、上記の合成樹脂は、「熱可塑性合成樹脂」とすることが望ましいが、「熱硬化性合成樹脂」であっても良い。更に、上記の合成樹脂は、「透明」なものであっても良いし、「不透明」なものであっても良い。
また、「遊技パネル」としては、「遊技領域の一部に対応する大きさとされたもの」、「遊技領域の全体に対応する大きさとされたもの」、等が挙げられる。なお、遊技パネルには、複数の障害釘を植設する他に、入賞口や枠状の役物等を支持する前後方向に貫通する開口部を形成するようにしても良い。また、遊技パネルを、透明な部材で形成しても良いし、不透明な部材で形成しても良く、透明な部材で遊技パネルを形成することで、遊技パネルの後方を前方から視認することができ、遊技盤の後方に配置された演出表示手段（演出表示装置）や各種役物（装飾部材を含む）を視認させることができ、奥行き表現の優れた遊技盤とすることができる。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
枠本体に装着される遊技盤を備え、該遊技盤の後面側に裏構成部材が取付固定される遊技機であって、
前記遊技盤は、
遊技者の操作によって遊技媒体が打ち込まれる遊技領域の少なくとも一部を含む大きさとされた合成樹脂からなる透明板状の遊技パネルと、
前記遊技パネルの外周を略覆うと共に、該遊技パネルを前面側から着脱可能に嵌合する嵌合段部、及び
前記嵌合段部の内側に形成され前後方向に貫通する貫通口
を有し、前記遊技パネルが前記貫通口に位置するかたちで前記嵌合段部に嵌合された状態で、該遊技パネルの外周面と前記貫通口の内周面との間に所定のクリアランスが形成される、熱可塑性合成樹脂からなる枠状のパネルホルダと、
前記パネルホルダ及び前記遊技パネルの前面側に配置され、前記遊技領域を区画形成すると共に該遊技領域内に遊技者の操作によって打ち込まれた遊技媒体を案内する案内レールを有し、前記パネルホルダと協働して前記遊技パネルを挟持する前構成部材と
を構成部材として含み、
前記パネルホルダの前記貫通口の外周側且つ少なくとも後面側には、前記裏構成部材を該パネルホルダの後面側の所望の位置に取付固定できるように、所定のビスを螺合可能な複数の取付孔が所定配列で配置されている
ことを特徴とする遊技機。
【請求項２】
前記裏構成部材である所定の演出画像が表示される演出表示手段が、前記遊技パネルを通して前方から視認可能となるように配置されている
請求項１に記載の遊技機。
【請求項３】
前記遊技パネルが前記パネルホルダの前記貫通口に位置するかたちで前記嵌合段部に嵌合された状態で、前記遊技パネルの前面と前記パネルホルダの前面とが略同一面となる
請求項１または２に記載の遊技機。
【手続補正２】
【補正対象書類名】明細書
【補正対象項目名】０００９
【補正方法】変更
【補正の内容】
【０００９】
請求項１に記載の遊技機は、枠本体に装着される遊技盤を備え、該遊技盤の後面側に裏構成部材が取付固定される遊技機であって、前記遊技盤は、遊技者の操作によって遊技媒体が打ち込まれる遊技領域の少なくとも一部を含む大きさとされた合成樹脂からなる透明板状の遊技パネルと、前記遊技パネルの外周を略覆うと共に、該遊技パネルを前面側から着脱可能に嵌合する嵌合段部、及び前記嵌合段部の内側に形成され前後方向に貫通する貫通口を有し、前記遊技パネルが前記貫通口に位置するかたちで前記嵌合段部に嵌合された状態で、該遊技パネルの外周面と前記貫通口の内周面との間に所定のクリアランスが形成される、熱可塑性合成樹脂からなる枠状のパネルホルダと、前記パネルホルダ及び前記遊技パネルの前面側に配置され、前記遊技領域を区画形成すると共に該遊技領域内に遊技者の操作によって打ち込まれた遊技媒体を案内する案内レールを有し、前記パネルホルダと協働して前記遊技パネルを挟持する前構成部材とを構成部材として含み、前記パネルホルダの前記貫通口の外周側且つ少なくとも後面側には、前記裏構成部材を該パネルホルダの後面側の所望の位置に取付固定できるように、所定のビスを螺合可能な複数の取付孔が所定配列で配置されていることを特徴とする。
請求項２に記載の遊技機は、請求項１に記載の遊技機において、前記裏構成部材である所定の演出画像が表示される演出表示手段が、前記遊技パネルを通して前方から視認可能となるように配置されているものである。
請求項３に記載の遊技機は、請求項１または２に記載の遊技機において、前記遊技パネルが前記パネルホルダの前記貫通口に位置するかたちで前記嵌合段部に嵌合された状態で、前記遊技パネルの前面と前記パネルホルダの前面とが略同一面となるものである。
【手続補正３】
【補正対象書類名】明細書
【補正対象項目名】００１０
【補正方法】変更
【補正の内容】
【００１０】
手段１：遊技機において、
「遊技者の操作によって遊技媒体が打ち込まれる遊技領域が形成され、該遊技領域よりも外側且つ後面側に所定配列で配置され所定のビスを螺合可能な複数の取付孔を備えた合成樹脂からなる板状の遊技盤ベースと、
該遊技盤ベースの前面側に配置され、前記遊技領域を区画形成すると共に該遊技領域内に遊技媒体を案内する案内レールを備えた前構成部材と
を有した遊技盤を具備する」ことを特徴とする。
【手続補正４】
【補正対象書類名】明細書
【補正対象項目名】００１１
【補正方法】変更
【補正の内容】
【００１１】
ここで、「遊技盤ベース」としては、「透明或いは不透明な合成樹脂からなる一つの板状のもの」、「複数の部材（例えば、遊技パネル、パネルホルダ、等）に分割可能とされたもの」、等が挙げられる。
また、「合成樹脂」としては、「アクリル樹脂」、「ポリカーボネート樹脂」、「ＡＢＳ樹脂」、「ポリプロピレン」、「ポリアリレート樹脂」、「メタクリル樹脂」、等が挙げられる。また、上記の合成樹脂は、「熱可塑性合成樹脂」とすることが望ましいが、「熱硬化性合成樹脂」であっても良い。更に、上記の合成樹脂は、「透明」なものであっても良いし、「不透明」なものであっても良い。
【手続補正書】
【提出日】平成21年3月23日(2009.3.23)
【手続補正１】
【補正対象書類名】特許請求の範囲
【補正対象項目名】請求項２
【補正方法】変更
【補正の内容】
【請求項２】
遊技用価値を用いて１ゲームに対して所定数の賭数を設定することによりゲームを開始させることが可能となり、複数種類の識別情報を変動表示させる可変表示装置に表示結果が導出されることにより１ゲームが終了し、該可変表示装置に設定された複数の入賞ラインの何れかに導出された表示態様に応じて入賞が発生可能であるスロットマシンにおいて、
ゲーム毎に前記可変表示装置の表示結果が導出されるより前に、通常遊技状態よりも遊技者にとって有利な特別遊技状態への移行を伴う特別表示態様と該特別表示態様とは異なる入賞表示態様である非特別表示態様とを含む複数種類の入賞表示態様を前記入賞ラインのいずれかに導出させることを許容するか否かを決定する事前決定手段と、
所定の許容段階設定操作が行われたことを条件として、前記事前決定手段により入賞表示態様の導出を許容する旨が決定される確率が異なる複数種類の許容段階のうちから、いずれかの許容段階を選択して設定する許容段階設定手段と、
前記許容段階設定手段により設定された許容段階を示すデータと前記事前決定手段の決定結果を示すデータとを含むゲームの進行を制御するためのデータを読み出し及び書き込み可能に記憶するデータ記憶手段と、
前記事前決定手段の決定結果を示すデータを含む前記データ記憶手段に記憶されたデータに従って、前記可変表示装置に表示結果を導出させる導出制御手段と、
前記可変表示装置に表示結果が導出されたときに、該表示結果において各入賞ラインに前記入賞表示態様が導出されているか否かを判定する入賞判定手段と、
前記入賞判定手段により前記特別表示態様が何れかの入賞ラインに導出され、且つ前記非特別表示態様が何れの入賞ラインにも導出されていないと判定されたときに、前記特別遊技状態に遊技状態を制御する特別遊技状態制御手段と、
前記入賞判定手段により前記特別表示態様が何れか１の入賞ラインに導出され、且つ前記非特別表示態様が他の１の入賞ラインに導出されていると判定されたときに、ゲームの進行を不能化する不能化手段と、
前記不能化手段により前記ゲームの進行が不能化された状態において、前記許容段階設定操作に基づいて前記許容段階設定手段により前記許容段階が新たに設定されたことを条件に、前記ゲームの進行が不能化された状態を解除し、ゲームの進行を可能とする不能化解除手段と
を備えることを特徴とするスロットマシン。
【手続補正２】
【補正対象書類名】明細書
【補正対象項目名】００１３
【補正方法】変更
【補正の内容】
【００１３】
上記目的を達成するため、本発明の第２の観点にかかるスロットマシンは、
遊技用価値（メダル）を用いて１ゲームに対して所定数の賭数を設定することによりゲームを開始させることが可能となり、複数種類の識別情報を変動表示させる可変表示装置（可変表示装置２）に表示結果が導出されることにより１ゲームが終了し、該可変表示装置に設定された複数の入賞ラインの何れかに導出された表示態様に応じて入賞が発生可能であるスロットマシン（スロットマシン１）において、
ゲーム毎に前記可変表示装置の表示結果が導出されるより前に、通常遊技状態（初期遊技状態、第１ＲＴ、第２ＲＴ）よりも遊技者にとって有利な特別遊技状態（レギュラーボーナス）への移行を伴う特別表示態様（レギュラーボーナス）と該特別表示態様とは異なる入賞表示態様である非特別表示態様（チェリー）とを含む複数種類の入賞表示態様を前記入賞ラインのいずれかに導出させることを許容するか否かを決定する事前決定手段（ステップＳ４０３）と、
所定の許容段階設定操作（設定キースイッチ９２をＯＮ状態で起動、設定スイッチ９１の操作）が行われたことを条件として、前記事前決定手段により入賞表示態様の導出を許容する旨が決定される確率が異なる複数種類の許容段階（設定値１〜６）のうちから、いずれかの許容段階を選択して設定する許容段階設定手段（ステップＳ２０３〜Ｓ２０７）と、
前記許容段階設定手段により設定された許容段階を示すデータと前記事前決定手段の決定結果を示すデータ（当選フラグ）とを含むゲームの進行を制御するためのデータを読み出し及び書き込み可能に記憶するデータ記憶手段（ＲＡＭ１１２）と、
前記事前決定手段の決定結果を示すデータを含む前記データ記憶手段に記憶されたデータに従って、前記可変表示装置に表示結果を導出させる導出制御手段（ステップＳ４０４）と、
前記可変表示装置に表示結果が導出されたときに、該表示結果において各入賞ラインに前記入賞表示態様が導出されているか否かを判定する入賞判定手段（ステップＳ４０５）と、
前記入賞判定手段により前記特別表示態様が何れかの入賞ラインに導出され、且つ前記非特別表示態様が何れの入賞ラインにも導出されていないと判定されたときに、前記特別遊技状態に遊技状態を制御する特別遊技状態制御手段（ステップＳ９１０、Ｓ９１２、Ｓ９１４）と、
前記入賞判定手段により前記特別表示態様が何れか１の入賞ラインに導出され、且つ前記非特別表示態様が他の１の入賞ラインに導出されていると判定されたときに、ゲームの進行を不能化（ＲＡＭ異常エラー状態）する不能化手段（ステップＳ９０３（ＹＥＳ）：ＲＡＭ異常エラー処理（図１２）へ）と、
前記不能化手段により前記ゲームの進行が不能化された状態において、前記許容段階設定操作に基づいて前記許容段階設定手段により前記許容段階が新たに設定されたことを条件に、前記ゲームの進行が不能化された状態を解除し、ゲームの進行を可能とする不能化解除手段（図１０：ゲーム制御処理（図１３）へ）と
を備えることを特徴とする。
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
遊技球が転動する遊技領域が形成される遊技盤と、
前記遊技領域を特別入球口が設けられる第１の遊技領域とその他の第２の遊技領域とに区画形成する役物と、
前記第２の遊技領域に打ち込まれた遊技球の前記第１の遊技領域内への進入の確率が高くなるように動作可能な可動片と、
前記第２の遊技領域に設けられる始動口と、
前記遊技盤の背面側に配設されるとともに、コイル内をその軸方向に直線運動可能な磁性部材が設けられるソレノイド装置と、
前記始動口への遊技球の入球に基づいて前記ソレノイド装置への通電を行うとともに、該通電によって生じる磁気力に応じた前記磁性部材の直線運動を利用して前記可動片の駆動制御を行う駆動制御手段と、
前記駆動制御手段による駆動制御に応じた前記可動片による動作を通じて前記第１の遊技領域内に進入した遊技球が前記特別入球口に受け入れられたとき、遊技者にとって有利な特別遊技を行う特別遊技実行手段と、
前記遊技盤の背面側に配設されるとともに、前記可動片の近傍にて磁界を検出する磁界検出手段と、を備え、
前記磁界検出手段からの出力信号に基づいて不正な遊技が行われているか否かを判断する遊技機において、
前記ソレノイド装置として、前記コイルの軸方向が平行となるように配設される第１のソレノイド装置及び第２のソレノイド装置を備え、
前記駆動制御手段は、前記第１のソレノイド装置に流れる電流の方向と前記第２のソレノイド装置に流れる電流の方向とが逆になるかたちで前記ソレノイド装置への通電を行うとともに、前記第１のソレノイド装置への通電によって生じる磁気力に応じた前記磁性部材の直線運動、及び前記第２のソレノイド装置への通電によって生じる磁気力に応じた前記磁性部材の直線運動をそれぞれ利用して前記可動片の駆動制御を行うようにした
ことを特徴とする遊技機。
【請求項２】
前記駆動制御手段は、スイッチング動作の制御用端子が共有化された２つのスイッチング素子を前記第１のソレノイド装置及び前記第２のソレノイド装置の各給電線上にそれぞれ備え、前記共有化された制御用端子への通電のオン／オフ制御により前記ソレノイド装置への通電を行う
請求項１に記載の遊技機。
【請求項３】
前記可動片は、一対の羽根部材からなる
請求項１または２に記載の遊技機。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
枠本体に装着される遊技盤を備える遊技機であって、
前記遊技盤は、
遊技者の操作によって遊技媒体が打ち込まれる遊技領域の少なくとも一部を含む大きさとされた合成樹脂からなる板状の遊技パネルと、
前記遊技パネルの外周を略覆うと共に、該遊技パネルを交換可能な交換パーツとして前面側から着脱可能に嵌合する嵌合段部、及び
前記嵌合段部の内側に形成され前後方向に貫通する貫通口
を有する熱可塑性合成樹脂からなる枠状のパネルホルダと、
前記パネルホルダ及び前記遊技パネルの前面側に配置され、前記遊技領域を区画形成すると共に該遊技領域内に遊技者の操作によって打ち込まれた遊技媒体を案内する案内レールを有し、前記パネルホルダと協働して前記遊技パネルを挟持する前構成部材と
を含み、前記遊技パネルと前記パネルホルダと前記前構成部材とを互いに分解可能な構成部材として構成されており、
前記パネルホルダの前記貫通口の外周側且つ少なくとも後面側には、所定のビスを螺合可能な複数の取付孔が所定配列で配置されている
ことを特徴とする遊技機。
【請求項２】
前記パネルホルダの後面側に配置されている前記複数の取付孔は、
前記パネルホルダの前記貫通口よりも外側の略全周に亘って配置される複数の第一取付孔と、
前記第一取付孔に螺合されるビスよりも大径のビスが螺合可能とされ、前記パネルホルダの上下方向の中央よりも上側に配置される複数の第二取付孔と
を有する請求項１に記載の遊技機。
【請求項３】
前記パネルホルダは、
前記複数の取付孔の近傍に、該複数の取付孔の各々に対応する複数の位置決め孔を有する
請求項１または２に記載の遊技機。
【手続補正２】
【補正対象書類名】明細書
【補正対象項目名】０００９
【補正方法】変更
【補正の内容】
【０００９】
請求項１に記載の遊技機は、枠本体に装着される遊技盤を備える遊技機であって、前記遊技盤は、遊技者の操作によって遊技媒体が打ち込まれる遊技領域の少なくとも一部を含む大きさとされた合成樹脂からなる板状の遊技パネルと、前記遊技パネルの外周を略覆うと共に、該遊技パネルを交換可能な交換パーツとして前面側から着脱可能に嵌合する嵌合段部、及び前記嵌合段部の内側に形成され前後方向に貫通する貫通口を有する熱可塑性合成樹脂からなる枠状のパネルホルダと、前記パネルホルダ及び前記遊技パネルの前面側に配置され、前記遊技領域を区画形成すると共に該遊技領域内に遊技者の操作によって打ち込まれた遊技媒体を案内する案内レールを有し、前記パネルホルダと協働して前記遊技パネルを挟持する前構成部材とを含み、前記遊技パネルと前記パネルホルダと前記前構成部材とを互いに分解可能な構成部材として構成されており、前記パネルホルダの前記貫通口の外周側且つ少なくとも後面側には、所定のビスを螺合可能な複数の取付孔が所定配列で配置されていることを特徴とする。
請求項２に記載の遊技機は、請求項１に記載の遊技機において、前記パネルホルダの後面側に配置されている前記複数の取付孔は、前記パネルホルダの略全周に亘って配置される複数の第一取付孔と、前記第一取付孔に螺合されるビスよりも大径のビスが螺合可能とされ、前記パネルホルダの上下方向の中央よりも上側に配置される複数の第二取付孔とを有するものである。
請求項３に記載の遊技機は、請求項１または２に記載の遊技機において、前記パネルホルダは、前記複数の取付孔の近傍に、該複数の取付孔の各々に対応する複数の位置決め孔を有するものである。
【手続補正３】
【補正対象書類名】明細書
【補正対象項目名】００１０
【補正方法】変更
【補正の内容】
【００１０】
手段１：遊技機において、
「遊技者の操作によって遊技媒体が打ち込まれる遊技領域の少なくとも一部に対応する大きさとされた合成樹脂からなる板状の遊技パネルと、
該遊技パネルの外周を略覆うと共に該遊技パネルが着脱可能に嵌合する嵌合段部、該嵌合段部の内側に配置され前後方向に貫通する貫通口、及び該貫通口の外周側且つ少なくとも後面側に所定配列で配置され所定のビスを螺合可能な複数の取付孔を備えた熱可塑性合成樹脂からなる枠状のパネルホルダと、
該パネルホルダ及び前記遊技パネルの前面側に配置され、前記遊技領域を区画形成すると共に該遊技領域内に遊技媒体を案内する案内レールを備えた前構成部材と
を有した遊技盤を具備する」ものであることを特徴とする。
【手続補正４】
【補正対象書類名】明細書
【補正対象項目名】００１１
【補正方法】変更
【補正の内容】
【００１１】
ここで、「合成樹脂」としては、「アクリル樹脂」、「ポリカーボネート樹脂」、「ＡＢＳ樹脂」、「ポリプロピレン」、「ポリアリレート樹脂」、「メタクリル樹脂」、等が挙げられる。また、上記の合成樹脂は、「熱可塑性合成樹脂」とすることが望ましいが、「熱硬化性合成樹脂」であっても良い。更に、上記の合成樹脂は、「透明」なものであっても良いし、「不透明」なものであっても良い。
また、「遊技パネル」としては、「遊技領域の一部に対応する大きさとされたもの」、「遊技領域の全体に対応する大きさとされたもの」、等が挙げられる。なお、遊技パネルには、複数の障害釘を植設する他に、入賞口や枠状の役物等を支持する前後方向に貫通する開口部を形成するようにしても良い。また、遊技パネルを、透明な部材で形成しても良いし、不透明な部材で形成しても良く、透明な部材で遊技パネルを形成することで、遊技パネルの後方を前方から視認することができ、遊技盤の後方に配置された演出表示手段（演出表示装置）や各種役物（装飾部材を含む）を視認させることができ、奥行き表現の優れた遊技盤とすることができる。